(57)【要約】      （修正有）【課題】極小エサの針刺しを容易にする釣針へのエサ付け用補助具を提供する。【解決手段】対の樹脂製挟持片１１、１２はその後端が接合され途中で交差して両先端の挟持用刃部１３、１４が自身の弾力によって当接している。挟持用刃部は、複数の針状挟持子（櫛刃１３ａ、ピン刃１４ａ）が並列されて各挟持子の間は釣り針が通り得る間隔に設定されている。この両挟持用刃部の間でエサを掴み、挟持子間に針を通してエサ刺しする。このとき、前記当接力はエサが潰れないように設定されている。また、両挟持用刃部の先端縁は同一面上に位置しているため、一方の挟持用刃部からエサが抜け出ることがなく、そのエサの挟持が容易である。さらに、一方の挟持片の挟持用刃部の挟持子の間隔が他方の挟持片の挟持用刃部の挟持子の間隔より大きくなっているため、間隔の大きい方からエサに針を刺せば、エサが見やすくその刺し作用が容易である。挟持片表面に磁石２０を設けて、釣り箱等に吸着して紛失を防止する。【選択図】図１
0003200362.tif 000002
【実用新案登録請求の範囲】
【請求項１】
対の挟持片（１１、１２）と、その両挟持片（１１、１２）の先端にそれぞれ設けた挟持用刃部（１３，１４）とからなり、前記両挟持片（１１、１２）は、その後端が接合され途中で交差して両先端が当接しているとともに前記後端から交差部までが離反する方向の付勢力が付与されており、前記挟持用刃部（１３，１４）は、複数の針状挟持子（１３ａ、１４ａ）が並列されて各挟持子（１３ａ、１４ａ）の間は釣り針（２）が通り得る間隔（ｔ１、ｔ２）に設定されていることを特徴とする釣針へのエサ付け用補助具。
【請求項２】
上記対の挟持片（１１、１２）が合成樹脂からなって、上記後端から交差部までが離反する方向の付勢力がその合成樹脂製挟持片（１１、１２）の弾性力で付与されていることを特徴とする請求項１に記載の釣針へのエサ付け用補助具。
【請求項３】
上記両挟持用刃部（１３、１４）の先端縁は同一面（ｃ）上に位置することを特徴とする請求項１又は２に記載の釣針へのエサ付け用補助具。
【請求項４】
上記一方の挟持片（１１）の挟持用刃部（１３）の挟持子（１３ａ）の間隔（ｔ１）を他方の挟持片（１２）の挟持用刃部（１４）の挟持子（１４ａ）の間隔（ｔ２）より大きくしたことを特徴とする請求項１乃至３の何れか一つに記載の釣針へのエサ付け用補助具。
【請求項５】
上記一方の挟持片（１１）の挟持用刃部（１３）の幅（Ｌ１）を、エサ（ｂ）の長さより小さくするとともに他方の挟持片（１２）の挟持用刃部（１４）の幅（Ｌ２）より小さくしたことを特徴とする請求項１乃至４の何れか一つに記載の釣針へのエサ付け用補助具。
【請求項６】
上記両挟持片（１１、１２）の一方の表面に磁石（２０）を設けたことを特徴とする請求項１乃至５の何れか一つに記載の釣針へのエサ付け用補助具。
【考案の詳細な説明】
【技術分野】
【０００１】
この考案は、主に、ワカサギ等の小物釣りに使用される極小の釣り針に、赤虫等の極小サイズの刺しエサ（釣り針に直接刺すエサ）を敏速かつ正確に針刺しすることができる釣針へのエサ付け用補助具（ピンセット）に関するものである。
【背景技術】
【０００２】
例えば、ワカサギ釣りは、図８に示すように、釣り竿１に極めて小さい針２が５〜１０本ほど装着され、その仕掛にひと針２づつエサ（餌）ｂを刺して（以下、適宜に「エサ刺し」と言う。）釣りを行う。このとき、魚（ワカサギ）ａを釣り上げる、又はエサ刺し後の時間の経過と共にエサｂが外れたり鮮度が劣化したりする。そのエサｂが外れたり、鮮度が劣化したりすると、魚ａの摂餌意欲が減退する。このため、その摂餌意欲を促し続ける為に小まめにエサｂの交換（エサ刺し）の作業を行う必要がある。
【０００３】
したがって、その都度エサｂを素早く装着していち早く水中に仕掛けを投入することで、特に魚ａが群泳している状況下などでは、一連の作業の素早さが釣果を伸ばす一つの重要な要素となる。また、エサｂの刺し方が悪いと、水中での魚ａに対するエサｂの見え方が不自然となり、食い込みが悪かったり、食い付いてもエサｂだけを食い逃げされたり、エサｂの針２からの脱落が早まったりという様々な悪い効果を伴う懸念がある為、エサｂにおける適格な箇所に針２を刺すことが望ましい。
【０００４】
従来，上記エサ刺しは、素手にエサｂを載せ、そのエサｂに針２を刺したり、輪切り大根の上にエサｂを並べてそのエサｂに針２を大根に突き刺しつつ刺したり、汎用型ピンセットでエサｂを掴んでそのエサｂに針２を刺す等の手段が採用されている。
このような状況下、釣針へのエサ付け用補助具として、ペンチ状の挟持具とプレートとからなり、その挟持具先端の挟持子でエサｂを掴み、プレート上に挟んだ針２にそのエサｂを刺してエサ刺しするものがある（特許文献１、要約、図２、図４等参照）。
【先行技術文献】
【特許文献】
【０００５】
【特許文献１】特開平１０−１７８９７１号公報
【考案の概要】
【考案が解決しようとする課題】
【０００６】
上記素手にエサｂを載せてエサ刺しする手段は、初心者や子供及び年配者など経験面・身体面の要因により、難解で面倒又は苦痛な作業となっている。また、女性は、エサｂによる指先の汚れが気になったり、特に、赤虫（ユスリカの幼虫）やサシ虫（キンバエの幼虫）等の活きエサｂを使用する場合、動くエサｂを触ること自体に抵抗を持ったりする。このため、そのようなエサ刺しを行う種類の釣りそのものが敬遠される傾向にある。
【０００７】
輪切り大根によるエサ刺し手段は、釣りに行く度に大根を用意する必要があり、使用後の大根はゴミとなり不経済である。また、輪切り大根の周囲に円状にエサｂを並べ、各エサ刺し作業の度（各針２にエサ刺しする度）、大根上のエサｂ又は針２を一つづつ円周上に移動させる手間が必要である。
【０００８】
ピンセットによるエサ掴みは、手の力の入れ方が非常に難しく、特に活きエサｂの場合はピンセットの圧力でエサを潰してしまったり、掴み方が足らずにエサを落としてしまったりする場合がある。また、刃先（挟持片先）でエサｂを掴んでもエサｂの姿勢が定まらず、針２の刺し処を定め辛かったり、上手く刺せなかったりする場合がある。
【０００９】
さらに、ワカサギ釣り等の厳寒期における露天での釣りや雨天での釣り等においては、手がかじかんだり、雨水で指先が滑ったり、集中力が低下したりするなどの要因により、何れの手段も煩雑な作業となりがちである。
【００１０】
上記特許文献１記載のエサ付け用補助具は、上記各エサ付け手段に比べれば、そのエサ付け作業が楽になっているが、ペンチ状の挟持具は、上記ピンセットと同様に、エサ掴み時の手の力の入れ方が非常に難しく、その掴み（挟持）力でエサを潰してしまったり、掴み方が足らずにエサを落としてしまったりする場合がある。
【００１１】
この考案は、以上の実状の下、上記エサ刺しが容易なエサ付け用補助具を提供することを課題とする。
【課題を解決するための手段】
【００１２】
上記課題を達成するため、この考案は、上記のペンチ状の挟持具において、その対の挟持片を交差させてその先端が常時当接し、両挟持片を挟持すると、その交差部を介して先端が離れるようにしたのである。
このようにすると、挟持片先端のエサ挟持部は、両挟持片を挟持すると離れるため、その状態で両挟持部間にエサを入れて閉じれば、その両挟持部間にエサが挟持される。そのエサ挟持状態は、両挟持片の挟持力によるため、その挟持力を適宜に設置すれば、エサが潰れることがない。また、エサが定まって挟持されるため、エサの適格な箇所に針２を上手く刺すことができる。
【００１３】
この考案の構成としては、対の挟持片と、その両挟持片の先端にそれぞれ設けた挟持用刃部とからなり、前記両挟持片は、その後端が接合され途中で交差して両先端が当接しているとともに前記後端から交差部までが離反する方向の付勢力が付与されており、前記挟持用刃部は、複数の針状挟持子が並列されて各挟持子の間は釣り針が通り得る間隔に設定されている構成を採用することができる。
上記離反する方向への付勢力は、手を離して両挟持用刃部でエサを挟持した際、エサが潰れないように実験等によって適宜に設定する。この設定により、挟持力（エサへの荷重）が一定に保たれ、かつ、手による挟持力を無くしてもその挟み荷重が維持されてエサが外れることがない。
その付勢力の付与手段は、コイルばね、皿ばね、板ばね等のばねやゴム等を両挟持片間に介在したりすることが採用できるが、上記対の挟持片を合成樹脂から成してその合成樹脂製挟持片自身の弾性力で付与されるようにすれば、安価なものとなる。
【００１４】
以上の構成において、上記両挟持用刃部の先端縁は同一面上に位置するようにすれば、エサを挟持する際、一方の挟持用刃部からエサが抜け出ることがなく、そのエサの挟持が容易である（図５Ａ（ｂ）、（ｃ）参照）。
また、上記一方の挟持片の挟持用刃部の挟持子の間隔を他方の挟持片の挟持用刃部の挟持子の間隔より大きくすることができる。このようにすれば、間隔の大きい方からエサに針を刺せば、エサが見やすくその刺し作用（エサ刺し）が容易となる。
さらに、上記一方の挟持片の挟持用刃部の幅を、エサの長さより小さくするとともに他方の挟持片の挟持用刃部の幅より小さくすれば、一方の挟持用刃部からエサの一部が飛び出し、例えば、エサの頭部に針を刺し易い。因みに、エサの頭部に針を刺した状態は、そのエサが動きやすく、魚の食い付きが良いうえに、針からエサが外れ難い。
また、両挟持片の一方の表面に磁石を設ければ、このエサ付け用補助具を、例えば、釣り箱等の磁性材料からなる物に吸着することによって紛失を防止することができる。
【考案の効果】
【００１５】
この考案は、以上のように構成して、手によることなく、両挟持片でエサを挟持するようにしたので、エサが潰れることなく、そのエサ刺しが容易である。このため、従来、赤虫等の小さいエサにおいては摂餌効果がすこぶる高いにも関わらず、エサ刺しが面倒であるために敬遠されていた背景があったが、その面倒さが払拭されることで、従来を上回る釣果実績を上げることが期待される。また、特に活きエサ（赤虫・サシ虫等）については、エサを手指で直接触れる必要性が大幅に軽減されるため、女性などでも同様の釣りにより親しんでもらえることが期待できる。
【図面の簡単な説明】
【００１６】
【図１】この考案に係るエサ付け用補助具の一実施形態を示し、（ａ）は斜視図、（ｂ）は下面図
【図２】同実施形態の挟持用刃部を示し、（ａ）は平面図、（ｂ）は正面図
【図３】同実施形態の両挟持片を切り離した斜視図
【図４】同実施形態の作用説明図
【図５Ａ】同実施形態のエサ刺し作用説明図
【図５Ｂ】同作用説明図
【図６】他の実施形態の斜視図
【図７】さらに他の実施形態の斜視図
【図８】ワカサギ釣りの説明図
【考案を実施するための形態】
【００１７】
この考案に係るエサ付け用補助具の一実施形態を図１〜図５Ｂに示し、このエサ付け用補助具Ａは、合成樹脂製の対の挟持片１１、１２と、その両挟持片１１、１２の先端にそれぞれ設けた挟持用刃部１３、１４とからなる。図中、１５は引っ掛け孔である。
その両挟持片１１、１２は、その後端が高周波接着（図１においてＳ部分、図３において斜線部分Ｓ）により接合されて相互に離れる方向に膨出した（円弧状に膨らんだ）後、切欠き１１ａ、１２ａを介して交差している。
【００１８】
上記一方（図１（ａ）において下側）の挟持片１１の挟持用刃部１３は、挟持片１１と一体成形された合成樹脂製であって、４本の針状櫛刃（挟持子）１３ａからなっている。その櫛刃１３ａの刃先高さは例えば１．４ｍｍ程度、同本数は複数であれば、３本、５本、６本以上と任意であるが、４本以上が好ましい。
他方（図１（ａ）において上側）の挟持片１２の挟持用刃部１４はステンレス鋼線（例えば、０．５ｍｍ径程度）からなる１５本のピン刃１４ａからなっている。そのピン刃（挟持子）１４ａの本数は、並列幅Ｌ２が上側挟持用刃部１３の幅（櫛刃１３ａの並列幅）Ｌ１より広くなって上側刃部１３の両側から突出していれば、その本数は任意であるが、１０本以上が好ましい（図２（ａ）参照）。
【００１９】
また、上側挟持用刃部１３の幅Ｌ１は、エサｂの長さ（体長）、例えば、赤虫であれば平均１０ｍｍ程度のため、その１０ｍｍ以下とし、一方、下側挟持用刃部１４の幅Ｌ２はエサの長さ、例えば赤虫であれば、１０ｍｍ以上とする。
なお、図２（ａ）に示すように、両挟持用刃部１３、１４が重なった（当接した）際、上側挟持用刃部１３の各櫛刃１３ａの間に下側挟持用刃部１４の各ピン刃１４ａの間隙が存在するようにすることが好ましい。上下の挟持用刃部１３、１４（櫛刃１３ａ間及びピン刃１４ａ間）に針２を通し易いからである。
【００２０】
両挟持用刃部１３、１４の先端縁は、図２に示すように同一面ｃ（図２（ｂ）において鎖線）上に位置するように揃っている。このため、図５Ａ（ｂ）に示すエサｂを掴む（挟持する）際、同図（ｂ）、（ｃ）に示すように、その両挟持用刃部１３、１４の先端縁が掬い面（例えば、容器Ｂの底面）に当接し、一方の先端からエサｂが抜けにくく、特に、極小サイズの赤虫等のエサｂを確実に且つ挟持用刃部１３、１４の内部で掴むことができる。
【００２１】
上記挟持用刃部１３、１４の各櫛刃１３ａの間隔ｔ１及びピン刃１４ａの間隔ｔ２は、釣り針２が通り得る幅に設定されているとともに、前者の櫛刃１３ａの間隔ｔ１を後者のピン刃１４ａの間隔ｔ２より大きくしている。この設定により、図５Ｂ（ａ）に示すように、挟持用刃部１３側から針２をエサｂに刺す時、その間隙（間隔）ｔ１からエサｂを確実に見ることができる。
このエサ刺し時、ステンレス鋼線製ピン刃１４ａからなる下側挟持用刃部１４は剛性が高いため、しっかりとエサｂを支え、その刺し込みも容易である。また、仮に下側挟持用刃部１４が樹脂製であると、その材質特性から針先が刃部１３に接した際、刃部１３の表面に針先が引っかかってしまい、針先を損傷してしまったり、針刺し作業が円滑に実施されなかったり等の懸念がある。これに対し、刃部１４にステンレス鋼線を採用しているため、その懸念はない。
【００２２】
なお、支障がなければ、前記間隔ｔ１、ｔ２は同じでも良い。しかし、下側のピン刃１４ａの間隔ｔ２は、広すぎると、針刺しの際の上方からの荷重によりエサｂの形状が変形したり、その間隙（スリット）からエサｂが脱落したり、さらに、櫛刃１３ａの先端がその間隙に入ってピン刃１４ａに引っかかったりするため、そのような不都合が生じないように前記間隔ｔ１、ｔ２は適宜に設定する。
【００２３】
一方の挟持片１１の表側には磁石２０が埋め込まれており、この磁石２０により、このエサ付け用補助具Ａを、例えば、釣り箱等の磁性材料からなる物に吸着することによってその紛失を防止することができる。この磁石２０は、購入した後に、接着剤等によって取付け得るようにし得る。磁極の同一となる物にはこのエサ付け用補助具Ａを吸着できないため、その場合は、吸着面が異極となるように付け得るようにするためである。磁石２０は他方の挟持片１２にも設けることができる。
【００２４】
この実施形態のエサ付け用補助具Ａは以上の構成であり、エサ刺しは、図４実線で示すように、両挟持片１１、１２を手で把持して挟持用刃部１３、１４を開いた（離した）状態で、図５Ａ（ａ）に示す赤虫等のエサｂの入った容器Ｂ内のそのエサｂを掬って下側の挟持用刃部１４上に載せ、その状態で把持力を緩めると、両挟持片１１、１２自身の弾力によって、挟持用刃部１３、１４が閉じ、エサｂを挟持する（図４（ｂ）鎖線状態参照）。
このとき、上述のように、その両挟持用刃部１３、１４の先端縁を容器Ｂの底面に当接するようにすれば、エサｂが抜けにくく、確実にエサｂを掴むことができる（図５Ａ（ｂ）、（ｃ）参照）。
また、両挟持用刃部１３、１４が櫛状の平型刃となっているため、エサ全体を広く固定でき、特に、赤虫等の活きエサｂ等の形状が歪でかつ動いているエサｂを水平に固定し得る。
【００２５】
エサｂを挟持すれば、図５Ｂ（ａ）に示すように、挟持片１１、１２の円弧凹状側面１１ｂ、１２ｂでの持ち方に変えた後、針２をエサｂに刺して手前に引くことによって、両挟持用刃部１３、１４からエサｂ付の針２を外す（同図（ｂ））。このとき、両挟持片１１、１２を把持して両挟持用刃部１３、１４の間を開けることができる。
また、上側挟持用刃部１３の幅Ｌ１＜下側挟持用刃部１４の幅Ｌ２となっているため、図５Ｂ（ｃ）に示すように、エサｂが上側挟持用刃部１３側面から出てエサｂの頭ｂ’に針２を容易に刺すことができる。頭ｂ’で持ってエサ（赤虫）ｂをエサ刺しした場合は、エサｂが針２から外れ難い上に魚（ワカサギ）ａの食い付きが良い。
なお、エサｂを半分にし、一つのエサｂで二本の針２にエサ刺しすれば、エサｂの体液が出て、魚の食い付きが良くなる。
【００２６】
上記実施形態においては、両挟持片１１、１２の接合を高周波接着としたが、接着剤によったり、嵌め込みによったり、リベット止め等の周知手段を採用し得る。
上記高周波接着の場合も含め、これらの両挟持片１１、１２の接合時、上側挟持用刃部−１３が下側挟持用刃部１４のほぼ中程に位置するようにすることが好ましい。
また、上記実施形態は、挟持片１１、１２を合成樹脂から成してその弾性力で両挟持用刃部１３、１４の当接力を付与したが、図６で示すように、両挟持片１１、１２の間にコイルバネ２３、皿ばね、板ばね等のばねやゴム等を介在して前記当接力を付与するようにすることもできる。
さらに、両挟持片１１、１２は別々に成形しなくても、図７に示すように、両挟持片１１、１２の切欠き１１ａ，１２ａの噛み合い（交差）を外した状態で一体樹脂成形し、その後、図１に示すように、樹脂の弾力変形でもって両挟持片１１、１２を交差させても良い。
【００２７】
エサｂは、赤虫に限らず、サシ虫、ブドウ虫、モロコシ虫、ミミズ等の釣り餌となるものであれば、この考案に係るエサ付け用補助具Ａによってエサ刺しを容易に行え得ることは勿論である。
また、上記はワカサギ釣りを例としたが、タナゴ釣り、テナガエビ釣り等においてもそのエサｂの針刺しにこの考案のエサ付け用補助具を採用し得ることは勿論である。
また、挟持片１１、１２は合成樹脂製でなくても、金属等を採用することができる。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２８】
Ａ  エサ付け用補助具（極小エサの針刺し用ピンセット）
ａ  魚（ワカサギ）
ｂ  エサ（赤虫）
１  釣り竿
２  釣り針
１１、１２  挟持片
１３、１４  挟持用刃部
１３ａ  櫛刃
１４ａ  ピン刃
２０  磁石
【図１】
0003200362.tif 000003
【図２】
0003200362.tif 000004
【図３】
0003200362.tif 000005
【図４】
0003200362.tif 000006
【図５Ａ】
0003200362.tif 000007
【図５Ｂ】
0003200362.tif 000008
【図６】
0003200362.tif 000009
【図７】
0003200362.tif 000010
【図８】
0003200362.tif 000011